(57)【要約】【課題】給湯器の保守点検作業時にメンテナンス情報の表示と書き換えができ効率のよい保守点検作業を行なうことが可能な給湯器の制御装置を提供する。【解決手段】給湯器１０の動作を制御するマイクロコンピュータ４８と、マイクロコンピュータ４８の内部設定を切替える切替スイッチ４９と、給湯器１０の遠隔操作を行なうための操作スイッチ５１と、操作スイッチ５１により指示命令される操作条件の情報と給湯器１０の動作状況の情報を表示する表示器５２とを備えた制御装置１２において、切替スイッチ４９が設定変更されたことを受けてマイクロコンピュータ４８の内部設定の変更を行なう切替実行手段と、切替スイッチ４９が設定変更されたことを受けて、通常運転モードから、メンテナンス情報を表示器５２に表示するメンテナンス情報表示モードに切替える表示制御手段として、マイクロコンピュータ４８を機能させるためのプログラムを設けた。【選択図】　　　　図１
2004076969.tif 000002
【特許請求の範囲】
【請求項１】
制御基板上に、予め入力された動作条件で給湯器の動作を制御するマイクロコンピュータの内部設定を切替えるための複数の切替スイッチを備えると共に、前記制御基板外に、前記給湯器を運転する際に該給湯器の遠隔操作を行なうための操作スイッチと、前記操作スイッチにより指示命令される操作条件の情報及び前記給湯器の動作状況の情報を表示する表示器とを備えた給湯器の制御装置において、
前記切替スイッチが設定変更されたことを受けて前記マイクロコンピュータの内部設定の変更を行なう切替実行手段と、
前記切替スイッチが設定変更されたことを受けて、通常運転モードから、メンテナンス情報を前記操作条件の情報及び前記動作状況の情報と共に前記表示器に表示するメンテナンス情報表示モードに切替える表示制御手段として、前記マイクロコンピュータを機能させるためのプログラムが設けられていることを特徴とする給湯器の制御装置。
【請求項２】
請求項１記載の給湯器の制御装置において、前記表示制御手段には、前記切替スイッチが切替えられて、前記給湯器が前記通常運転モードから前記給湯器の前記動作条件を変更する変更モードになった場合、前記メンテナンス情報表示モードを所定時間だけ維持するタイマー部が設けられていることを特徴とする給湯器の制御装置。
【請求項３】
請求項２記載の給湯器の制御装置において、前記メンテナンス情報は、前記給湯器の動作条件変更後の新たな動作条件に基づくものであることを特徴とする給湯器の制御装置。
【請求項４】
請求項１記載の給湯器の制御装置において、前記切替実行手段には、前記切替スイッチが切替えられて、前記給湯器が前記通常運転モードから前記給湯器の燃焼状態を固定する強制運転モードになった場合、該強制運転モードを予め設定した時間だけ維持し、この時間の経過後は前記通常運転モードに復帰させる自動復帰部が設けられていることを特徴とする給湯器の制御装置。
【発明の詳細な説明】
【０００１】
【発明の属する技術分野】
本発明は、給湯器の保守点検作業を行なうために必要となるメンテナンス情報を表示する給湯器の制御装置に関する。
【０００２】
【従来の技術】
従来、給湯器の保守点検作業を行なうために必要となる給湯器の動作条件や動作状況を示す状態値等のメンテナンス情報は、例えば給湯器に添付された取扱説明書、サービスマニュアル等に記載されていた。このため、保守点検作業を行なう場合には、手元に取扱説明書、サービスマニュアル等をおいて記載内容の確認を行ないながら保守点検作業を進めていた。
【０００３】
【発明が解決しようとする課題】
このように、保守点検作業は書面に記載された動作条件の内容の確認を行ないながら進めねばならず、効率のよい保守点検作業を行なうことができなかった。また、給湯器の動作条件等を変更した場合、保守点検の作業中に変更した動作条件を逐一記録しておき、作業終了後に取扱説明書、サービスマニュアル等に転記したり、作業報告書に転記する必要があった。このため、変更後の運転条件を転記する際に、転記ミスの問題が生じていた。更に、保守点検の作業で給湯器の動作条件の変更が行なわれた場合は、給湯器の使用者に変更後の動作条件を記載した取扱説明書あるいは作業報告書の確実な保管を要求せねばならないという問題が生じていた。
本発明はかかる事情に鑑みてなされたもので、給湯器の保守点検作業時にメンテナンス情報の表示と動作条件の切替えができ効率のよい保守点検作業を行なうことが可能な給湯器の制御装置を提供することを目的とする。
【０００４】
【課題を解決するための手段】
前記目的に沿う給湯器の制御装置は、制御基板上に、予め入力された動作条件で給湯器の動作を制御するマイクロコンピュータの内部設定を切替えるための複数の切替スイッチを備えると共に、前記制御基板外に、前記給湯器を運転する際に該給湯器の遠隔操作を行なうための操作スイッチと、前記操作スイッチにより指示命令される操作条件の情報及び前記給湯器の動作状況の情報を表示する表示器とを備えた給湯器の制御装置において、前記切替スイッチが設定変更されたことを受けて前記マイクロコンピュータの内部設定の変更を行なう切替実行手段と、前記切替スイッチが設定変更されたことを受けて、通常運転モードから、メンテナンス情報を前記操作条件の情報及び前記動作状況の情報と共に前記表示器に表示するメンテナンス情報表示モードに切替える表示制御手段として、前記マイクロコンピュータを機能させるためのプログラムが設けられている。
これにより、給湯器の保守点検作業時に必ず操作する切替スイッチが設定変更されたことを受けてから表示制御手段を機能させ、通常運転モードを、メンテナンス情報を操作条件の情報及び動作状況の情報と共に表示器に表示するメンテナンス情報表示モードとするので、給湯器の保守点検時に特別な操作を行なわなくてもメンテナンス情報を必ず表示させることができる。また、切替スイッチが切替えられたことを受けてから、切替実行手段が機能するので、表示器に表示されるメンテナンス情報を確認しながら保守点検作業を実施することができる。
【０００５】
本発明に係る給湯器の制御装置において、前記表示制御手段には、前記切替スイッチが切替えられて、前記給湯器が前記通常運転モードから前記給湯器の前記動作条件を変更する変更モードになった場合、前記メンテナンス情報表示モードを所定時間だけ維持するタイマー部が設けられていることが好ましい。
これにより、給湯器が通常運転モードから給湯器の動作条件を変更する変更モードになった場合、タイマー部が動作して、所定時間のうちに給湯器の動作条件を変更しない場合、又は、給湯器の動作条件を変更してから所定時間のうちに続いて動作条件の変更が行なわれなかった場合、メンテナンス情報の表示を停止させる。このため、表示器に、切替スイッチが切替えられて給湯器の動作条件を変更する変更モードになっていることを表示できる。ここで、所定時間としては、例えば、１〜２４時間を設定する。
【０００６】
本発明に係る給湯器の制御装置において、前記メンテナンス情報は、前記給湯器の動作条件変更後の新たな動作条件に基づくものであることが好ましい。
これによって、保守点検作業で変更した給湯器の動作条件を直ちに確認することができる。また、保守点検の作業中に変更した動作条件を全て記録する必要がなくなる。更に、動作条件変更に伴う給湯器へのハード面の設定条件である調整値を確認することができる。
なお、メンテナンス情報は給湯器の動作条件及び動作状況の状態値を含み、例えば、予め設定されたメンテナンスコード番号と、それに対応する各機器の実際の状態値又は予め設定されたコードで構成することができる。メンテナンスコード番号の表示は、例えば、操作盤に設けられた運転用の各操作スイッチ、時計情報の操作スイッチ、通常運転モードの場合では機能しない休止スイッチ等を使用して行なう。ここで、表示器におけるメンテナンス情報の表示領域としては、保守点検時には一般に不要となる領域、例えば時計表示領域を使用することが好ましい。なお、給湯器の動作条件とは、例えば、給湯器のガス燃焼器で使用する燃料の適用ガス種、給湯能力（号数）、風呂自動湯張り方式（半自動制御、全自動制御）、給湯器と浴槽との相対的高さ関係（高、低）、浴槽サイズ（大、中、小）等の設定項目を指す。また、給湯器の動作状況の状態値とは、例えば、浴槽の基準水量及び基準水位、浴槽への湯張り水量及び水位、燃焼ファンの回転数、給湯温度、給水温度、給水瞬間流量、風呂温度、積算運転時間、積算燃焼時間等の給湯器を構成している各要素部品から得られるそれぞれの現在の状態値、及びマイクロコンピュータ内に記憶された過去の状態値を指す。
【０００７】
本発明に係る給湯器の制御装置において、前記切替実行手段には、前記切替スイッチが切替えられて、前記給湯器が前記通常運転モードから前記給湯器の燃焼状態を固定する強制運転モードになった場合、該強制運転モードを予め設定した時間だけ維持し、この時間の経過後は前記通常運転モードに復帰させる自動復帰部が設けられていることが好ましい。
ここで、給湯器の燃焼状態を固定する強制運転モードとは、燃焼条件の設定を行なう際に使用するモードで、例えば、燃料供給用比例弁への出力電流を最大値に固定する強制最大燃焼状態、燃料供給用比例弁への出力電流を最小値に固定する強制最小燃焼状態等を指す。強制運転モードでは、燃料供給用比例弁への出力電流が固定されるため、燃焼量の制御ができず、実際に給湯器を使用する際に強制運転モードであることは好ましくない。このため、自動復帰部を設けて、燃焼状態の保守点検作業を行なうのに十分な時間として予め設定した時間（例えば、５〜１５分）の範囲内のみ強制運転モードを維持して、その時間が経過した後は自動的に通常運転モードに復帰できるようにすることが好ましい。
【０００８】
【発明の実施の形態】
続いて、添付した図面を参照しつつ、本発明を具体化した実施の形態につき説明し、本発明の理解に供する。
ここに、図１は本発明の一実施の形態に係る給湯器の制御装置を備えた給湯器の概略説明図、図２は同給湯器の給湯器本体の概略説明図、図３は同給湯器の保守点検作業の方法を示すフロー図、図４は同給湯器の保守点検作業の方法を示すフロー図である。
図１、図２を参照して、本発明の一実施の形態に係る給湯器の制御装置１２を備えた給湯器１０について説明する。
【０００９】
給湯器１０の給湯器本体１１は、温水を供給する給湯回路１３と、浴槽に加熱した浴水を供給する風呂回路１４と、水道水や浴水の加熱を行なう燃焼器を運転する燃焼回路１５を有している。
給湯回路１３には、図示しない給水弁を介して水道配管に一方側が接続されている給水配管部１６と、給水配管部１６の他方側に一方側が接続され給水配管部１６から供給された水を加熱して湯とする給湯用熱交換部１７が設けられている。また、給湯回路１３には、給湯用熱交換部１７の他方側と一方側が接続されて他方側が図示しない給湯供給口に接続された給湯配管部１８が設けられている。ここで、給水配管部１６の一方側には給水水量センサ１９と給水サーミスタ２０が設けられ、給水水量センサ１９により給水量（瞬間流量）が給水サーミスタ２０により給水温度が出力される。更に、給水配管部１６には、給水配管内の凍結を予防する凍結予防ヒータ２１が設けられている。給湯配管部１８の他方側には、対流防止弁２２を介して給水配管部１６の一方側と接続された混合比例弁２３が設けられ、混合比例弁２３の下流側に出湯サーミスタ２４が設けられている。このような構成とすることにより、混合比例弁２３において、湯と水が混合され出湯される湯の温度を出湯サーミスタ２４により検出して、給湯の設定温度に制御できる。
【００１０】
風呂回路１４には、図示しない浴槽の浴水吸引口に一方側が接続した風呂戻り配管部２５と、風呂戻り配管部２５の他方側に一方側が接続され風呂戻り配管部２５から供給された浴水を加熱する風呂用熱交換部２６が設けられている。また、風呂回路１４には、風呂用熱交換部２６の他方側と一方側が接続され他方側が図示しない浴槽の浴水供給口に接続した風呂往き配管部２７が設けられている。ここで、風呂戻り配管部２５の一方側には、浴槽の浴水と風呂回路１４との間の循環経路において水流の有無を検知する風呂水流スイッチ２８と、風呂回路１４内に流入した浴水温度を検出する風呂サーミスタ２９と、浴水を浴槽から吸引して風呂回路１４内に流入させて経路（回路）内を循環させる循環ポンプ３０が設けられている。このような構成とすることにより、風呂回路１４内に浴槽内の浴水を循環させて、浴槽内の浴水を追い焚きすることができる。
【００１１】
更に、風呂サーミスタ２９側の風呂戻り配管部２５と混合比例弁２３の設置位置より下流側の給湯配管部１８とは、配管３１により接続されている。配管３１には、給湯配管部１８側から風呂戻り配管部２５側に向かって水量センサ３２、注湯電磁弁３３、２連逆止弁３４が設けられている。また、注湯電磁弁３３と２連逆止弁３４の接続部と給水サーミスタ２０の下流側の給水配管部１６とは、過圧逃がし弁３５を介して逃がし配管３６で接続されている。このような構成とすることにより、注湯電磁弁３３を開けて水道水を給湯回路１３で加熱し、水量センサ３２で給湯量を検知しながら浴槽に供給することができる。また、浴槽内に所定量の浴水が供給されると、注湯電磁弁３３が閉じて注湯を停止させることができる。給湯を終了すると、燃焼終了後の給湯用熱交換部１７の余熱により給湯回路１３内の内圧が過圧状態になった場合は、逃がし配管３６を経由して給水配管部１６から水道水が抜かれ給湯回路１３内の圧力は常圧状態に戻る。更に、風呂往き配管部２７には、風呂往き配管部２７内の凍結を予防する凍結防止ヒータ３７が設けられている。
【００１２】
燃焼回路１５には、給湯用熱交換部１７及び風呂用熱交換部２６を収納する缶体３８と、缶体３８内の給湯用熱交換部１７及び風呂用熱交換部２６を加熱するガス燃焼器３９が設けられている。缶体３８には、過熱防止用の温度ヒューズ４０が設けられ、更に、給湯熱交換部１７には缶体サーミスタ４１が設けられている。ガス燃焼器３９には、２基のガスバーナ部４２と、燃焼用の空気を供給する燃焼ファン４３が設けられ、各ガスバーナ部４２にはそれぞれ切替電磁弁４４が設けられている。また、燃焼回路１５には、各切替電磁弁４４に一方側が接続し、他方側が各ガスバーナ部４２に供給されるガス量を調整する比例弁４５の一方側に接続したガス供給配管部４６が設けられている。なお、比例弁４５の他方側は、ガス供給の入り切りを行なう元電磁弁４７を介して図示しないガス管に接続されている。このような構成とすることにより、ガス燃焼器３９での燃焼量を増加させたい場合は、ガス比例弁４５での制御に加え切替電磁弁４４の切替えにより、２基のガスバーナ部４２で燃焼を行ない、燃焼量を抑制したい場合は、いずれか一方のガスバーナ部４２のみ燃焼させることができる。
【００１３】
制御装置１２は、給湯器１０の動作を制御するマイクロコンピュータ４８と、マイクロコンピュータ４８の内部設定を切替えるための複数の切替スイッチ４９と、マイクロコンピュータ４８及び切替スイッチ４９を積載した制御基板５０と、制御基板５０外にあって給湯器１０の遠隔操作を行なうための操作スイッチ５１と、操作スイッチ５１により給湯器１０を運転する際の指示命令となる操作条件の情報及び給湯器１０の動作状況の情報を表示する表示器５２とを備えている。また、マイクロコンピュータ４８には、給湯器１０の動作制御を行なう運転制御手段と、切替スイッチ４９が設定変更されたことを受けて運転制御手段の内部設定の変更を行なう切替実行手段と、切替スイッチ４９が設定変更されたことを受けて、通常運転モードから、メンテナンス情報を操作条件の情報及び動作状況の情報と共に表示器５２に表示するメンテナンス情報表示モードに切替える表示制御手段として、マイクロコンピュータ４８を機能させるためのプログラムが搭載されている。
このような構成とすることにより、切替スイッチ４９を切替えることにより、通常運転モードからメンテナンス情報表示モードの状態にして、メンテナンス情報を表示器５２に表示させることができる。更に、切替スイッチ４９を切替えることにより、切替実行手段を機能させることができるので、運転制御手段の内部設定の変更を行なって、給湯器１０の運転の設定条件を最適化することができる。
【００１４】
表示制御手段には、切替スイッチ４９が切替えられて、給湯器１０が通常運転モードから給湯器１０の動作条件を変更する変更モードになった場合、メンテナンス情報表示モードを所定時間だけ維持するタイマー部が設けられている。このため、切替スイッチ４９を切替えることにより、切替実行手段と表示制御手段を機能させて、給湯器１０の動作条件を変更する作業の実施を可能にすると共に、メンテナンス情報を表示器５２に表示させることができる。そして、給湯器１０の動作条件を変更する作業が所定時間の間実施されない場合、メンテナンス情報の表示を停止させて、表示器５２に切替スイッチ４９が切替えられて給湯器１０の動作条件を変更する変更モードになっていることを表示できる。これによって、切替スイッチ４９が切替えられているにもかかわらず動作条件を変更する作業が完了していないことを確実に知らせることができる。
更に、表示制御手段には、メンテナンス情報として、給湯器１０の動作条件の変更後の新たな動作条件を表示器５２に表示する変更データ表示部が設けられている。このような構成とすることにより、重要度の高いメンテナンス情報、例えば、適用ガス種、給湯能力等の設定条件、ガス設定圧力や電流値等の調整値、浴槽の基準水量、浴槽の基準水位等の記憶されている過去の状態値を表示させることができる。
【００１５】
また、切替実行手段には、切替スイッチ４９が切替えられて、給湯器１０が通常運転モードから給湯器１０の燃焼状態を固定する強制運転モードになった場合、強制運転モードを予め設定した時間だけ維持しこの時間の経過後は通常運転モードに復帰させる自動復帰部が設けられている。このような構成とすることにより、切替スイッチ４９を切替えることにより、切替実行手段と表示制御手段を機能させて、強制運転モードにして燃焼状態の保守点検作業を実施可能にすると共に、メンテナンス情報を表示器５２に表示させて、強制運転モード時におけるガス設定圧力、電流値等の調整値を表示させることができる。そして、予め設定した時間が経過した後は自動的に通常運転モードに復帰させることができる。これによって、切替スイッチ４９の復帰を忘れても、所定時間後には給湯器１０を通常運転モードで使用することが可能となり、メンテナンス情報を表示器５２に表示し続けることにより、復帰の忘れを表すことができる。
【００１６】
次に、本発明の一実施の形態に係る給湯器の制御装置１２の制御方法について、図３、図４のフロー図を用いて詳細に説明する。
給湯器１０の運転スイッチ（図示せず）がオンされて給湯器１０に電源が投入され（ステップＳ１）、マイクロコンピュータ４８内に記憶されていた前回の運転条件が初期化されて、予め記憶されている切替スイッチ４９による設定に基づく新たな運転条件が記憶される（ステップＳ２）。続いて、切替スイッチ４９の状態がマイクロコンピュータ４８内に記憶され（ステップＳ３）、切替スイッチ４９の状態が通常運転モードから変更されているか否かの確認が行なわれる（ステップＳ４）。切替スイッチ４９の状態が変更されていない場合、初期化された条件で通常運転が行なわれる（ステップＳ５）。通常運転は、運転スイッチが切られるまで継続され（ステップＳ６）、運転スイッチが切られたことが検知されると、給湯器１０の運転は停止する（ステップＳ７）。
【００１７】
ステップＳ４で切替スイッチ４９が変更されている場合、マイクロコンピュータ４８に搭載されているプログラムが実行されて、切替実行手段と表示制御手段が機能する。そして、切替スイッチ４９の変更が強制運転モードであるか否かの確認が行なわれる（ステップＳ８）。切替スイッチ４９が強制運転モードの場合、切替実行手段では、強制運転モードを予め設定した時間（例えば、５〜１５分）だけ維持するため、切替スイッチ４９が切替えられて強制運転モードとなってからの経過時間が計測される（ステップＳ９）。従って、予め設定した時間の範囲内では、強制運転モードでの保守点検作業が実施でき（ステップＳ１０）、表示制御手段が機能して、例えば、給湯器１０のガス燃焼器３９で使用する燃料の種類、ガス燃焼器３９の型式、燃焼ファン４３の回転数、ガス供給量、ガス設定圧力、電流値等のメンテナンス情報が表示器５２に表示される（ステップＳ１１）。
【００１８】
設定時間経過後は、切替実行手段は強制運転モードを通常運転モードに復帰させるので、通常運転モードとなる（ステップＳ１２）。また、表示制御手段は機能しているので、メンテナンス情報は表示器５２に表示され（ステップＳ１３）、切替スイッチ４９が変更されるまでメンテナンス情報の表示は継続される（ステップＳ１４）。切替スイッチ４９が変更されて通常運転モードへ復帰した場合は（ステップＳ１５）、ステップＳ５〜Ｓ７の通常運転が行なわれる。また、切替スイッチ４９の変更が通常運転モードへの復帰でない場合、切替スイッチ４９の変更が強制運転モードであるか否かの確認が行なわれる（ステップＳ８）。そして、強制運転モードへの変更である場合は、ステップＳ９以降の各ステップが実行される。
【００１９】
一方、ステップＳ８で切替スイッチ４９の変更が強制運転モードでない場合、すなわち、給湯器１０の動作条件を変更する変更モードである場合、表示制御手段では、メンテナンス情報表示モードを所定時間（例えば、１〜２４時間）だけ維持し、この時間の経過後はメンテナンス情報の表示を停止させる（ステップＳ２０）ため、切替スイッチ４９が切替えられて給湯器１０の動作条件を変更する変更モードとなってからの経過時間が計測される（ステップＳ１６）。また、表示器５２には、例えば、風呂自動湯張り方式（半自動制御、全自動制御）、浴槽の基準水量、浴槽の基準水位等のメンテナンス情報が表示され（ステップＳ１７）、切替実行手段が機能して変更モードでの保守点検作業が実施でき（ステップＳ１８）、所定時間の範囲、又は切替スイッチ４９が変更されるまで（ステップＳ１９）、ステップＳ１７とステップＳ１８は継続される。切替スイッチ４９が変更されて通常運転モードへ復帰した場合（ステップＳ２１）は、ステップＳ５〜Ｓ７の通常運転が行なわれる。
【００２０】
ステップＳ１６で所定時間経過後は、メンテナンス情報表示モードが機能を停止するので、メンテナンス情報の表示が停止され（ステップＳ２０）、切替スイッチ４９の変更待ち（すなわち、動作条件の変更待ち）の状態となる。この状態は、切替スイッチ４９が変更されるまで継続される（ステップＳ１９）。切替スイッチ４９が変更されて通常運転モードへ復帰した場合（ステップＳ２１）は、ステップＳ５〜Ｓ７の通常運転が行なわれる。一方、切替スイッチ４９の変更が通常運転への復帰でない場合、切替スイッチ４９の変更が強制運転モードであるか否かの確認がおこなわれる（ステップＳ８）。そして、強制運転モードへの変更である場合はステップＳ９以降の各ステップが実行され、変更モードへの変更である場合はステップＳ１６以降の各ステップが実行される。
【００２１】
以上、本発明の実施の形態を説明したが、本発明は、この実施の形態に限定されるものではなく、発明の要旨を変更しない範囲での変更は可能であり、前記した実施の形態や変形例の一部又は全部を組み合わせて本発明の給湯器の制御装置を構成する場合にも本発明は適用される。例えば、表示制御手段には切替スイッチが切替えられて給湯器の動作条件を変更する変更モードになった場合、切替実行手段の動作には時間的制約を設けなかったが、変更モードとなって変更が行なわれず一定時間が経過した後は、警報音、あるいは電子音声で変更モードであることを報知する機能を設けるようにしてもよい。
【００２２】
【発明の効果】
請求項１〜４記載の給湯器の制御装置においては、切替スイッチが設定変更されたことを受けてマイクロコンピュータの内部設定の変更を行なう切替実行手段と、切替スイッチが設定変更されたことを受けて、通常運転モードから、メンテナンス情報を操作条件の情報及び動作状況の情報と共に表示器に表示するメンテナンス情報表示モードに切替える表示制御手段として、マイクロコンピュータを機能させるためのプログラムが設けられているので、給湯器の保守点検作業時にメンテナンス情報の表示と書き換えができ、効率のよい保守点検作業を行なうことが可能となる。
【００２３】
特に、請求項２記載の給湯器の制御装置においては、表示制御手段には、切替スイッチが切替えられて、給湯器が通常運転モードから給湯器の動作条件を変更する変更モードになった場合、メンテナンス情報表示モードを所定時間だけ維持するタイマー部が設けられているので、所定時間が経過すると表示器に給湯器の動作条件を変更する変更モードであることを表示させることができ、切替スイッチが変更されて通常運転モードでないことを知らせることができる。
【００２４】
請求項３記載の給湯器の制御装置においては、メンテナンス情報は、給湯器の動作条件変更後の新たな動作条件に基づくものであるので、保守点検作業で変更した給湯器の動作条件を直ちに確認することができ、効率のよい保守点検作業を行なうことが可能となる。
【００２５】
請求項４記載の給湯器の制御装置においては、切替実行手段には、切替スイッチが切替えられて、給湯器が通常運転モードから給湯器の燃焼状態を固定する強制運転モードになった場合、強制運転モードを予め設定した時間だけ維持し、この時間の経過後は通常運転モードに復帰させる自動復帰部が設けられているので、予め設定した時間の範囲内のみ強制運転モードを維持して、その時間が経過した後は自動的に通常運転モードに復帰でき、強制運転モードから通常運転モードに変更させることを怠っても、給湯器を通常の運転状態で使用することが可能となる。
【図面の簡単な説明】
【図１】本発明の一実施の形態に係る給湯器の制御装置を備えた給湯器の概略説明図である。
【図２】同給湯器の給湯器本体の概略説明図である。
【図３】同給湯器の保守点検作業の方法を示すフロー図である。
【図４】同給湯器の保守点検作業の方法を示すフロー図である。
【符号の説明】
１０：給湯器、１１：給湯器本体、１２：制御装置、１３：給湯回路、１４：風呂回路、１５：燃焼回路、１６：給水配管部、１７：給湯用熱交換部、１８：給湯配管部、１９：給水水量センサ、２０：給水サーミスタ、２１：凍結予防ヒータ、２２：対流防止弁、２３：混合比例弁、２４：出湯サーミスタ、２５：風呂戻り配管部、２６：風呂用熱交換部、２７：風呂往き配管部、２８：風呂水流スイッチ、２９：風呂サーミスタ、３０：循環ポンプ、３１：配管、３２：水量センサ、３３：注湯電磁弁、３４：２連逆止弁、３５：過圧逃がし弁、３６：逃がし配管、３７：凍結防止ヒータ、３８：缶体、３９：ガス燃焼器、４０：温度ヒューズ、４１：缶体サーミスタ、４２：ガスバーナ部、４３：燃焼ファン、４４：切替電磁弁、４５：比例弁、４６：ガス供給配管部、４７：元電磁弁、４８：マイクロコンピュータ、４９：切替スイッチ、５０：制御基板、５１：操作スイッチ、５２：表示器
【図１】
2004076969.tif 000003
【図２】
2004076969.tif 000004
【図３】
2004076969.tif 000005
【図４】
2004076969.tif 000006